(57)【特許請求の範囲】
【請求項１】
その片面に剥離可能な状態で塗布膜が設けられた長尺のテープが巻き付けられた第１のリールである第１リールと、前記塗布膜が所定の被転写面に転写された後のテープを巻き取る第２のリールである第２リールと、を有するリフィルが取付けられることにより、
前記テープの片面に設けられた前記塗布膜を所定の被転写面に転写させるための塗布膜転写具として機能する、塗布膜転写具本体であって、
第１部材と、
前記第１部材に対して平行移動できるようにして前記第１部材に接続されており、それが前記第１部材と離反した、前記リフィルの着脱が可能な開位置と、それが前記第１部材と近接した、前記リフィルの使用が可能な閉位置とを取れるようにされている、第２部材と、
を備えているとともに、
前記第２部材は、
前記第１部材に対して接続されている、第２部材本体と、
前記第２部材の前記第１部材に対する平行移動の方向と平行に平行移動できるようにして前記第２部材本体に接続されているスライダと、
前記第２部材本体に設けられた、前記第１リールから前記第２リールに送られる前記テープに当接し、前記テープの前記塗布膜を前記被転写面に転写させる、前記スライダよりも前記第１部材よりに位置する転写部と、
前記スライダに設けられた、前記リフィルを着脱自在に取付けるための固定部と、
を備えており、
前記スライダが、前記第２部材が前記開位置にあるときには、前記転写部から所定の距離の第１位置に位置するとともに、前記第２部材が前記閉位置にあるときには、前記第１位置よりも前記転写部から遠い第２位置に位置するようになっていることにより、前記第２部材が前記開位置にあるときよりも前記閉位置にあるときの方が、前記第１リールから前記転写部を経て前記第２リールに至る前記テープの最短距離が長くなるようになっている、
塗布膜転写具本体。
【請求項２】
前記スライダ及び前記リフィルの一部に係止されることにより、前記スライダの前記第１部材に近づく方向への移動を止める第１係止部と、前記スライダ及び前記リフィルの一部に係止されることにより、前記スライダの前記第１部材から遠ざかる方向への移動を止める第２係止部とを備えているとともに、
前記スライダは、前記第１係止部又は前記第２係止部に係止されていないときは前記第２部材本体とともに平行移動するようになっているとともに、前記第２部材が開位置から閉位置に移動する際に、前記第１係止部に、前記第２部材が閉位置から開位置に移動する際には前記第２係止部に、それぞれ係止されるようになっている、
請求項１記載の塗布膜転写具本体。
【請求項３】
前記第１係止部と前記第２係止部の少なくとも一方は、前記第１部材に設けられている、
請求項２記載の塗布膜転写具本体。
【請求項４】
前記第１部材の前記第２部材から最も遠い部分には孔が穿たれており、前記第１部材が閉位置に位置したときには、前記転写部は、前記孔から突出するようになっている、
請求項１記載の塗布膜転写具本体。
【請求項５】
前記第１部材と前記第２部材は、前記第２部材が前記閉位置にあるときに、前記第１部材と前記第２部材の中に前記テープが外部に露出しないように前記リフィルの少なくとも一部を収納するケース状となるようになっている、
請求項１記載の塗布膜転写具本体。
【請求項６】
その片面に剥離可能な状態で塗布膜が設けられた長尺のテープが巻き付けられた第１のリールである第１リールと、前記塗布膜が所定の被転写面に転写された後のテープを巻き取る第２のリールである第２リールと、を有するリフィルと、
前記リフィルと組合せて用いられる塗布膜転写具本体と、
からなる、前記テープの片面に設けられた前記塗布膜を所定の被転写面に転写させるための塗布膜転写具であって、
前記塗布膜転写具本体は、第１部材と、前記第１部材に対して平行移動できるようにして前記第１部材に接続されており、それが前記第１部材と離反した、前記リフィルの着脱が可能な開位置と、それが前記第１部材と近接した、前記リフィルの使用が可能な閉位置とを取れるようにされている、第２部材と、を備えているとともに、
前記第２部材は、
前記第１部材に対して接続されている、第２部材本体と、
前記第２部材の前記第１部材に対する平行移動の方向と平行に平行移動できるようにして前記第２部材本体に接続されているスライダと、
前記第２部材本体に設けられた、前記第１リールから前記第２リールに送られる前記テープに当接し、前記テープの前記塗布膜を前記被転写面に転写させる、前記スライダよりも前記第１部材よりに位置する転写部と、
前記スライダに設けられた、前記リフィルを着脱自在に取付けるための固定部と、
を備えており、
前記スライダが、前記第２部材が前記開位置にあるときには、前記転写部から所定の距離の第１位置に位置するとともに、前記第２部材が前記閉位置にあるときには、前記第１位置よりも前記転写部から遠い第２位置に位置するようになっていることにより、前記第２部材が前記開位置にあるときよりも前記閉位置にあるときの方が、前記第１リールから前記転写部を経て前記第２リールに至る前記テープの最短距離が長くなるようになっている、
塗布膜転写具。
【請求項７】
前記第１係止部と前記第２係止部の少なくとも一方が、前記リフィルの一部に係止されるようになっている、請求項２の塗布膜転写具本体と組合せて用いられるリフィルであって、
前記第１係止部又は前記第２係止部のうちのリフィルの一部に係止されるようになっているものと係止しあうことのできる、少なくとも一つの被係止部を備えている、
リフィル。
【発明の詳細な説明】
【技術分野】
【０００１】
本発明は、テープの片面に剥離可能な状態で設けられた塗布膜を所定の被転写面に転写するために用いられる塗布膜転写具に関する。
【背景技術】
【０００２】
長尺のテープの片面に剥離可能な状態で設けられた塗布膜を所定の被転写面に転写するために用いられる塗布膜転写具が実用されている。塗布膜としては、例えば、修正塗料や、粘着剤がある。塗布膜転写具は、塗布膜が修正塗料であるときは修正テープ転写具として、塗布膜が粘着剤であるときは糊転写具として、用いられることになる。塗布膜転写具は、他にもマーキングテープ、デコレーションテープの転写具等として多様に利用されている。
【０００３】
上述の如き機能を有する塗布膜転写具には様々な種類のものがある。その中に、塗布膜がその片面に設けられた上述のテープを交換可能としたものがある。
このような塗布膜転写具は、大まかに言えば、ケース状に構成された本体と、本体に対して着脱自在とされるリフィルとから構成される。リフィルには、上述のテープが内蔵されており、テープが使い切られたら（テープの片面に設けられた塗布膜がテープの長さ方向のすべてにおいて被転写面に転写されたら）、使用済みのリフィルは本体から外され、新たなリフィルに交換される。
リフィルには一般に、その安価さを目的として、テープと、テープを本体に供給するために必要となる要素を初めとする最小限の要素のみが搭載される。
そのようにすることで、ユーザは、リフィルを交換しながら継続的に塗布膜転写具を使用することができる一方で、継続的に行わなければならないリフィル購入のコストを下げることができる。
【０００４】
リフィルの交換が可能とされた塗布膜転写具にも様々なものがあるが、第１の回転可能なリールである第１リールと、第２の回転可能なリールである第２リールとを備えている点では、既存のリフィルの構造は共通している。第１リールには、その片面に塗布膜が設けられたテープが巻付けられており、第２リールは、その塗布膜が被転写面に転写された後の、いわば使用済みといえるテープを巻き取るようになっている。
他方、既存のリフィルには、リフィルから供給されたテープを、被転写面に転写するために必要となる、例えば、テープを被転写面に対して押圧するが如き、転写部が搭載されるか否かの相違がある。
多くの塗布膜転写具では、転写部はリフィルに設けられ、リフィルの交換により交換されるようになっている。この場合、第１リールから供給されるテープはリフィルが持つ転写部でその塗布膜を被転写面に転写され、第２リールに巻き取られる。
他方、転写部を本体に設けて、リフィルの交換の際に転写部を交換しない技術も存在する。この技術では、第１リールから供給されるテープは本体が持つ転写部でその塗布膜を被転写面に転写され、第２リールに巻き取られる。本体に転写部を設ける技術は、本願出願人が予てから実施している。かかる技術は転写部を交換しないことによる、省資源化とリフィルの価格の安さを達成できる点で優れている。
【０００５】
上述の如き第１リールと第２リールを備えたリフィルを、転写部を備えた本体に対して着脱自在にするに際し、一つの課題がある。
それは、リフィルが使用状態にあるときは第１リール、転写部、及び第２リールの間でテープにテンションがかかっていなければならないのに対して、リフィルの交換を行うときにはテープにテンションがかかっていない方が良いということである。
リフィルが使用状態にあるときには、第１リールから転写部を経て第２リールにテープを滑らかに送るためには、テープにテンションがかかっていることが必要となる。他方、リフィルの交換を行うに際してテープにテンションがかかっていると、第１リールと第２リールの間に存在する転写部とテープとの摩擦で、或いは転写部にテープが係止されるなどすることにより本体からリフィルを取外すのが難しくなるため、リフィルの交換の際に古いリフィルを本体から取外し易くするには、或いは新しいリフィルを本体に取付け易くするには、第１リール、転写部、及び第２リールの間でテープにテンションがかかっていない、言い換えれば弛んでいる状態となっている方が好ましいのである。
なお、このような課題はリフィルに転写部が存在する場合には生じない。転写部ごとリフィルが交換されるのであれば、使用時においても交換時においてもテープにテンションがかかっているようにすれば、転写部とテープとの間における摩擦や、転写部に対するテープの係止が問題になることはないからである。
【０００６】
転写部が本体に存在する場合に特徴的な上述の課題を解消するための一つの方策として、塗布膜転写具の本体内における第１リールから転写部を経て第２リールに至るまでの間に、テープと接触することが可能な可動の部材を設けることを本願出願人は提案している。例えば、特許第４６０３７３８号では、本願出願人は、リフィルを収納可能とした、開閉自在な２つの部分に分割されたケース様の本体を採用するとともに、転写部自体を可動の部材とし、更に本体の開閉にしたがって本体の直線運動を転写部の回転運動に転換するラックアンドピニオン機構を採用することで、使用時においてはテープに当接させた転写部によりテープにテンションを与えるとともに、リフィルの交換時においては転写部をテープに当接させないようにすることで、テープを弛ませるようにしている。
【先行技術文献】
【特許文献】
【０００７】
【特許文献１】特許第４６０３７３８号
【発明の概要】
【発明が解決しようとする課題】
【０００８】
しかしながら、かかる技術にも改良すべき点がないわけではない。
出願人が提案した上述の技術では、直線運動を回転運動に変換するために、ラックアンドピニオン機構を採用している。しかしながら軸が固定の単なる歯車と異なり、ピニオンはその歯を直線運動を行いながらラックの歯と噛み合わせるので、ガタが出やすい。そのようなガタが出ると、コストやその軽量化の問題から樹脂で作られることが常識となっている塗布膜転写具では、破損による故障の原因となりかねない。
上述の如く、リフィルは交換されるものであるが、本体は長く使われるものであるから、故障が生じる可能性を低く抑えるのは難しく、他方故障が生じると、本体に本来的に求められる「交換しないで長く使える」という基本的な機能が充足されない。
【０００９】
本願発明は、リフィルの交換を行え、且つ故障の可能性が低い、本体に転写部を有するタイプの塗布膜転写具を提供することをその課題とする。
【課題を解決するための手段】
【００１０】
上述の課題を解決するため、本願出願人は以下の発明を提案する。
その発明は、その片面に剥離可能な状態で塗布膜が設けられた長尺のテープが巻き付けられた第１のリールである第１リールと、前記塗布膜が所定の被転写面に転写された後のテープを巻き取る第２のリールである第２リールと、を有するリフィルが取付けられることにより、前記テープの片面に設けられた前記塗布膜を所定の被転写面に転写させるための塗布膜転写具として機能する、塗布膜転写具本体である。
そして、この塗布膜転写具本体は、第１部材と、前記第１部材に対して平行移動できるようにして前記第１部材に接続されており、それが前記第１部材と離反した、前記リフィルの着脱が可能な開位置と、それが前記第１部材と近接した、前記リフィルの使用が可能な閉位置とを取れるようにされている、第２部材と、を備えているとともに、前記第２部材は、前記第１部材に対して接続されている、第２部材本体と、前記第２部材の前記第１部材に対する平行移動の方向と平行に平行移動できるようにして前記第２部材本体に接続されているスライダと、前記第２部材本体に設けられた、前記第１リールから前記第２リールに送られる前記テープに当接し、前記テープの前記塗布膜を前記被転写面に転写させる、前記スライダよりも前記第１部材よりに位置する転写部と、前記スライダに設けられた、前記リフィルを着脱自在に取付けるための固定部と、を備えており、前記スライダが、前記第２部材が前記開位置にあるときには、前記転写部から所定の距離の第１位置に位置するとともに、前記第２部材が前記閉位置にあるときには、前記第１位置よりも前記転写部から遠い第２位置に位置するようになっていることにより、前記第２部材が前記開位置にあるときよりも前記閉位置にあるときの方が、前記第１リールから前記転写部を経て前記第２リールに至る前記テープの最短距離が長くなるようになっている。
この塗布膜転写具本体は、従来の塗布膜転写具同様、それに対して着脱自在とされたリフィルと組合せることにより、塗布膜転写具となる。
この塗布膜転写具本体は、第１部材と、第１部材に対して平行移動できるようにされた、リフィルが取付けられるものとされ且つ転写部を有する第２部材とを備えている。第２部材はリフィルの着脱（例えば交換）が可能な開位置と、リフィルの使用が可能な閉位置の２つの位置の間を平行移動できるようになっている。第２部材は第１部材と接続される第２部材本体と、第２部材本体に対して平行移動可能とされたスライダとを備えている。第２部材に上述のように取付けられるリフィルは、より詳細にはスライダに取付けられるようになっており、スライダとともに、第２部材本体に対して、また、第１部材に対して平行移動できるようになっている。スライダは（つまり、リフィルは）、第２部材が開位置にあるときは第１位置に、第２部材が閉位置にあるときには、第１位置よりも転写部から遠い第２位置に位置するようになっている。
転写部は、リフィルよりも第１部材よりに存在するので、第２部材が開位置にあるときよりも閉位置にあるときの方が、第１リールから転写部を経て第２リールに至るテープの最短距離が長くなる。第２部材が閉位置にあるときにはリフィルが使用される状態にあるので、第２部材が閉位置にあるときに第１リールから転写部を経て第２リールに至るテープの最短距離が相対的に長くなるということは、リフィルが使用される状態ではテープにテンションがかかるということを意味する。他方、第２部材が開位置にあるときにはリフィルが着脱可能な状態にあるので、第２部材が開位置にあるときに第１リールから転写部を経て第２リールに至るテープの最短距離が相対的に短くなるということは、リフィルが着脱可能な状態ではテープからテンションが抜けテープに弛みが生じるということを意味する。
本願発明では、このような仕組みで、リフィルが使用状態にあるときは第１リール、転写部、及び第２リールの間でテープにテンションがかかり、リフィルの交換を行うときなどリフィルの着脱を行うときにはテープにテンションがかからないという状態を作り出すことにしている。しかも、本願発明では、かかる状態を作り出すために、転写部の回転が存在しないから、ラックアンドピニオン機構のような直線運動を回転運動に変換するための仕組みが不要である。第１部材に対する第２部材の平行移動、第２部材本体に対するスライダの平行移動ともに、例えば、それらの一方にそれらの他方を案内する直線状の溝を作り、それらの他方にその溝に係止される被案内部を設けるなどすれば、可動ではない部材のみを用いて実現可能である。そうすることにより、本願発明による塗布膜転写具本体は、故障の可能性が小さくなる。
【００１１】
スライダの第２係止部本体に対する平行移動はどのような仕組みで生じさせても構わないが、例えば以下のような仕組みによりこれを実現させることができる。
本願発明による塗布膜転写具本体は、前記スライダ及び前記リフィルの一部に係止されることにより、前記スライダの前記第１部材に近づく方向への移動を止める第１係止部と、前記スライダ及び前記リフィルの一部に係止されることにより、前記スライダの前記第１部材から遠ざかる方向への移動を止める第２係止部とを備えているとともに、前記スライダは、前記第１係止部又は前記第２係止部に係止されていないときは前記第２部材本体とともに平行移動するようになっているとともに、前記第２部材が開位置から閉位置に移動する際に、前記第１係止部に、前記第２部材が閉位置から開位置に移動する際には前記第２係止部に、それぞれ係止されるようになっていてもよい。
こうすることで、基本的には第２部材本体の第１部材に対する平行移動に追随するスライダを第２部材本体に対して係止させることにより、スライダを第２部材本体に対して平行移動させることができるようになる。これは、可動の部品を必要以上に増やさないことにも繋がる。
前記第１係止部と前記第２係止部の少なくとも一方は、前記第１部材に設けられていても良い。もちろんこれらの双方が第１部材に設けられていても良い。第１係止部と、第２係止部は、第２部材が第１部材に対して平行移動しても第１部材を基準として見た場合に移動しないものであるべきであるが、その限りにおいて、第１部材の一部であっても良いし、第１部材とは別部品であっても構わない。
本願の塗布膜転写具本体が第１係止部と第２係止部を有し、且つ前記第１係止部と前記第２係止部の少なくとも一方が、前記リフィルの一部に係止されるようになっている場合、それと組合せて用いられるリフィルは、前記第１係止部又は前記第２係止部のうちのリフィルの一部に係止されるようになっているものと係止しあうことのできる、少なくとも一つの被係止部を備えていても良い。そうすることで、第１係止部又は第２係止部、或いはその双方によるスライダの停止を確実に行えるようになる。被係止部は、そのような効果を得られるような位置にそのような効果を得られるような形状になるようにして設けられるが、その位置及び形状はそれが当接する第１係止部又は第２係止部又はその双方の位置、形状などによって相対的に決定される。
【００１２】
第１部材の構成には特に制限はない。例えば、前記第１部材の前記第２部材から最も遠い部分には孔が穿たれており、前記第１部材が閉位置に位置したときには、前記転写部は、前記孔から突出するようになっていても良い。上述したように、第２部材は、第１部材から遠い開位置と第１部材に近接した閉位置を取ることができ、第２部材を閉位置に位置させた状態でリフィルの着脱（例えば交換）を行った後に、第２部材を閉位置に移動させて、リフィルを使用できる状態とする。第２部材が閉位置に位置したときに第１部材の孔から転写部が突出するようになっていれば、転写部が孔から突出したことを目安にユーザは第２部材が正しく閉位置に位置したことを知ることができるようになる。
前記第１部材と前記第２部材は、前記第２部材が前記閉位置にあるときに、前記第１部材と前記第２部材の中に前記テープが外部に露出しないように前記リフィルの少なくとも一部を収納するケース状となるようになっていてもよい。上述のようにリフィルは、塗布膜を有するテープを転写部に供給し、また使用済みのテープを回収する機能を有する。第１リールから転写部を経て第２リールに向かうテープは、予定外のものに触れられない方が好ましい。第１部材と第２部材が、第２部材が閉位置にあるときに、その内部にリフィルの少なくとも一部を収納しテープが外部に露出しないようにするケース状となるのであれば、テープに予定外のものが触れるおそれがなくなる。
【００１３】
本願出願人は、また、本願の塗布膜転写具本体と同様の作用効果を得られる以下の塗布膜転写具をも提案する。
その塗布膜転写具の一例は、その片面に剥離可能な状態で塗布膜が設けられた長尺のテープが巻き付けられた第１のリールである第１リールと、前記塗布膜が所定の被転写面に転写された後のテープを巻き取る第２のリールである第２リールと、を有するリフィルと、前記リフィルと組合せて用いられる塗布膜転写具本体と、からなる、前記テープの片面に設けられた前記塗布膜を所定の被転写面に転写させるための塗布膜転写具である。
そしてこの塗布膜転写具の前記塗布膜転写具本体は、第１部材と、前記第１部材に対して平行移動できるようにして前記第１部材に接続されており、それが前記第１部材と離反した、前記リフィルの着脱が可能な開位置と、それが前記第１部材と近接した、前記リフィルの使用が可能な閉位置とを取れるようにされている、第２部材と、を備えている。
そしてその前記第２部材は、前記第１部材に対して接続されている、第２部材本体と、前記第２部材の前記第１部材に対する平行移動の方向と平行に平行移動できるようにして前記第２部材本体に接続されているスライダと、前記第２部材本体に設けられた、前記第１リールから前記第２リールに送られる前記テープに当接し、前記テープの前記塗布膜を前記被転写面に転写させる、前記スライダよりも前記第１部材よりに位置する転写部と、前記スライダに設けられた、前記リフィルを着脱自在に取付けるための固定部と、を備えており、前記スライダが、前記第２部材が前記開位置にあるときには、前記転写部から所定の距離の第１位置に位置するとともに、前記第２部材が前記閉位置にあるときには、前記第１位置よりも前記転写部から遠い第２位置に位置するようになっていることにより、前記第２部材が前記開位置にあるときよりも前記閉位置にあるときの方が、前記第１リールから前記転写部を経て前記第２リールに至る前記テープの最短距離が長くなるようになっている。
【図面の簡単な説明】
【００１４】
【図１】本願の一実施形態における第２部材が閉位置にあるときの塗布膜転写具本体の、（ａ）は一部透視図を含む右側面図、（ｂ）は底面図、（ｃ）は図（ａ）における塗布膜転写具本体のＡ−Ａ断面図、（ｄ）は平面図、（ｅ）は図（ａ）における塗布膜転写具本体のＢ−Ｂ断面図、（ｆ）は正面図、（ｇ）は背面図。
【図２】本願の一実施形態における第２部材が開位置にあるときの塗布膜転写具本体の、（ａ）は一部透視図を含む右側面図、（ｂ）は底面図、（ｃ）は図（ａ）における塗布膜転写具本体のＡ−Ａ断面図、（ｄ）は平面図、（ｅ）は図（ａ）における塗布膜転写具本体のＢ−Ｂ断面図、（ｆ）は正面図、（ｇ）は背面図。
【図３】図１、２に示した塗布膜転写具の使用状態を示す、（ａ）は、塗布膜転写具の右側面図、（ｂ）は同左側面図（ただし、理解の容易のために左右反転している）、（ｃ）は、カバーを除いた第２部材の左側面図（ただし、理解の容易のために左右反転している）、（ｄ）は塗布膜転写具の平面図、（ｅ）は図（ａ）のＡ−Ａ断面図。
【図４】図１、２に示した塗布膜転写具の使用状態を示す、（ａ）は、塗布膜転写具の右側面図、（ｂ）は同左側面図（ただし、理解の容易のために左右反転している）、（ｃ）は、カバーを除いた第２部材の左側面図（ただし、理解の容易のために左右反転している）、（ｄ）は塗布膜転写具の平面図、（ｅ）は図（ａ）のＢ−Ｂ断面図。
【図５】図１、２に示した塗布膜転写具の使用状態を示す、（ａ）は、塗布膜転写具の右側面図、（ｂ）は同左側面図（ただし、理解の容易のために左右反転している）、（ｃ）は、カバーを除いた第２部材の左側面図（ただし、理解の容易のために左右反転している）、（ｄ）は塗布膜転写具の平面図、（ｅ）は図（ａ）のＣ−Ｃ断面図。
【図６】図１、２に示した塗布膜転写具の使用状態を示す、（ａ）は、塗布膜転写具の右側面図、（ｂ）は同左側面図（ただし、理解の容易のために左右反転している）、（ｃ）は、カバーを除いた第２部材の左側面図（ただし、理解の容易のために左右反転している）、（ｄ）は塗布膜転写具の平面図、（ｅ）は図（ａ）のＤ−Ｄ断面図。
【図７】図１、２に示した塗布膜転写具とともに用いられるリフィルのカバーを取り除いた状態を示す斜視図。
【図８】図１、２に示した塗布膜転写具とともに用いられるリフィルのカバーを取り除き、さらに分解した状態を示す斜視図。
【図９】図１、２に示した塗布膜転写具とリフィルを組合せてなる塗布膜転写具の使用状態を概略的に示す斜視図。
【図１０】図５（ｄ）のＧ−Ｇ断面図。
【発明を実施するための形態】
【００１５】
以下、図面を参照しつつ、本発明の好ましい一実施形態を説明する。
【００１６】
この実施形態における塗布膜転写具は、塗布膜転写具本体と、リフィルからなる。リフィルは後述するように塗布膜転写具本体に着脱自在に取付けることが可能である。塗布膜転写具本体にリフィルを取付けたものが塗布膜転写具となる。
以下、まず塗布膜転写具本体について説明を行う。
【００１７】
塗布膜転写具本体１０は、図１と、図２に示したように構成されている。図１は、後述する第２部材が後述する閉位置に位置する状態の塗布膜転写具本体１０を示し、図２は、後述する第２部材が後述する開位置に位置する状態の塗布膜転写具本体１０を示す。
なお、図１、図２に共通するが、（ａ）は塗布膜転写具本体の一部透視図を含む右側面図、（ｂ）は底面図、（ｃ）は図（ａ）における塗布膜転写具本体１０のＡ−Ａ断面図、（ｄ）は平面図、（ｅ）は図（ａ）における塗布膜転写具本体１０のＢ−Ｂ断面図、（ｆ）は正面図、（ｇ）は背面図である。
【００１８】
塗布膜転写具本体１０は、第１部材１００と第２部材２００とを備えている。
第１部材１００と、第２部材２００はともに樹脂でできており、その内部空間は概ね中空である。第２部材２００は、第１部材１００から離れた開位置と、第１部材１００に近接する閉位置の間で平行移動可能とされている。
【００１９】
第１部材１００は、略矩形で板状の第１底面板１１０を備えている。第１底面板１１０の前方部１００Ａは、その前側に向かって先細る断面略ロの字型となっており、その後方部１００Ｂは上側が開放された断面略コの字型となっている。前方部１００Ａの上側の板を第１上面板１２０と称することにする。
また、第１底面板１１０の右端から立ち上がり、前方部１００Ａから後方部１００Ｂにかけて存在する第１部材１００の右側にある板を、第１右側面板１３０と称し、第１底面板１１０の左端から立ち上がり、第１部材１００の前方部１００Ａから後方部１００Ｂにかけて存在する第１部材１００の左側にある板を第１左側面板１４０と称することにする。
第１右側面板１３０は、その後方部１００Ｂの高さが、その前方部１００Ａの後端における高さの１／３程度となっており、また後方に向かうにつれ徐々に低くなるようにされている。第１左側面板１４０は、その後方部１００Ｂに上方に向かう略半楕円形の突出部があるものの、全体としては、その前方部１００Ａの後端と同じ高さをその後方部１００Ｂの後端まで保つ略矩形であり、その後方部１００Ｂの高さは、第１右側面板１３０の後方部１００Ｂよりも相対的に高くなっている。なお、第１左側面板１４０の略半楕円形の突出部は、後述するリフィルの側面形状に即した形状とされており、使用時にユーザがそこに指を掛けることが想定されているものである。
【００２０】
第１部材１００の前方部１００Ａの前端には前方開口１００Ａ１が設けられている。この前方開口１００Ａ１は後述のように、追って説明する転写部を第１部材１００の前側に露出させるためのものである。
第１部材１００の第１底面板１１０の後方よりには、必ずしもこの限りではないが矩形の孔である開口１１１が設けられている。この開口１１１は、後述するように、第２部材２００が閉位置に位置するときに、第１部材１００と第２部材２００を係止するために用いられる。
前方部１００Ａの前方開口１００Ａ１の下側には、キャップ１１２が設けられている。キャップ１１２は、塗布膜転写具が使用されないときに、前方開口１００Ａ１を塞ぎ、前方開口１００Ａ１から露出する転写部の後述するローラ及びそれにかかったテープを隠すためのものである。キャップ１１２は、前方部１００Ａに対して適当な方法で固定された軸を軸として図２（ａ）の矢印Ｘで示したようにヒンジ運動を行えるようになっている。図２（ａ）で示した位置にあるときは前方開口１００Ａ１は露出しているが、キャップ１１２の先端を前方上方に向けて回動させることで、キャップ１１２は前方開口１００Ａ１を隠す。
【００２１】
第１左側面板１４０の右側（第１部材１００の内側）には、略その長さ方向の全長にわたる、上側ガイド溝１４１と、下側ガイド溝１４２とが設けられている（図１（ｅ）、図２（ｅ）、図１０、特に図１０参照）。なお、これらの後端は第１左側面板１４０の後端に必ず至っている。上側ガイド溝１４１は下向きに開放されており、下側ガイド溝１４２は上向きに開放されている。上側ガイド溝１４１と下側ガイド溝１４２の幅は、この限りではないがこの実施形態では等しく、また上側ガイド溝１４１の真下に下側ガイド溝１４２が位置するようになっている。
また、第１左側面板１４０の右側には、クランク状に内側に向かって迫り出した段部１４３が設けられている。
【００２２】
第２部材２００は、スライダ支持部材２１０と、スライダ２２０とを備えている。なお、スライダ支持部材２１０と、スライダ２２０については、図３〜図６にも図示がある。
スライダ支持部材２１０は板状である。スライダ支持部材２１０は略矩形の本体部２１１と、その前方に向かって略水平に細長く伸びる支持部２１２とを備えている。
本体部２１１は、その上端の厚さが上側ガイド溝１４１に対応し、その下端の厚さが下側ガイド溝１４２に対応するようになっており、またその上下方向の長さが上側ガイド溝１４１から下側ガイド溝１４２までの距離に略対応するようになっている。スライダ支持部材２１０の本体部２１１は、その上端を上側ガイド溝１４１に、その下端を下側ガイド溝１４２にそれぞれ挿入されるようになっている。それにより本体部２１１は（ひいてはスライダ支持部材２１０乃至第２部材２００）は、その上端を上側ガイド溝１４１に、その下端を下側ガイド溝１４２にそれぞれ案内されながら、前後方向に（第１部材１００からの距離が近づき又は遠ざかる方向に）移動可能となっている。その結果、第２部材２００は、図１に示した位置である開位置から、図２に示した位置である閉位置の間を平行移動できるようになっている。なお、本体部２１１は、第１左側面板１４０に覆われており、外部には露出していない。
支持部２１２の先端には、転写部２３０が取付けられている。転写部２３０は、平面視で前方が開放されたコの字型をしている支持部材２３１と、支持部材２３１の先端でその両端を回転可能に支持された後述するテープの幅よりもややその長さが長い円筒形のローラ２３２とを備えている。ローラ２３２は、後述するテープを、これも後述する被転写面に対して押圧しつつテープを送り出す機能を有している。
【００２３】
本体部２１１の後端には、そこから右側に伸びる湾曲した略矩形の板である背面板２１３が接続されている。背面板２１３の下端には、そこから前方に伸びる略矩形の板である第２底面板２１４が接続されている。第２底面板２１４の前側端部には、第２底面板２１４よりも幅が狭く、且つその厚さが薄い板である前板２１５が設けられており、且つ前板２１５の前側端部には下方向に突出する突出片２１６が設けられている。突出片２１６は、第２部材２００が閉位置に位置するときに来たときに、第１部材１００の第１底面板１１０に設けられた上述の開口１１１にその上側から嵌り込むようになっている。これにより閉位置に位置する第２部材２００は、第１部材１００に対して固定され、後方には移動できなくなる。
なお、第２底面板２１４は、その中程を上向きに押すと、その素材である樹脂が多少の弾性を有することもあり、背面板２１３と接続されたその後端を起点として、その前側を多少持ち上げることができるようになっている。そして第２底面板２１４の前側が十分に持ち上げられると、第２底面板２１４の更にその前側に取付けられた前板２１５の下方に設けられた突出片２１６は、開口１１１から外れた状態となるようになっている。突出片２１６を開口１１１から外れた状態とすると、第２部材２００の第１部材１００に対する固定は解かれ、第２部材２００は、後方に移動可能となるようになっている。
本体部２１１の後端には、また、第２底面板２１４の右端にその下端を、背面板２１３の右端にその後端をそれぞれ接する略矩形で略垂直な板である右カバー板２１７Ａと、右カバー板２１７Ａの上端にその右端が接続されるとともに、背面板２１３の上端にその後端を接する略矩形で略水平な板である上カバー板２１７Ｂとからなる、カバー体２１７が取付けられている。
【００２４】
本体部２１１の中央付近には矩形の孔である本体開口２１１Ａが穿たれている。ここに矩形の板であるスライダ２２０が嵌められている（図３〜図６における（ｃ））。
本体開口２１１Ａの上側の縁の下面と、下側の縁の左側（外側）縁にはそれぞれ、その前後方向の全長にわたり、上切欠き２１１Ａ１と、下切欠き２１１Ａ２が設けられている。スライダ２２０は、その上端の薄くなった部分を上切欠き２１１Ａ１と第１左側面板１４０との隙間に、その下端の薄くなった部分を第１左側面板１４０と下切欠き２１１Ａ２との隙間にそれぞれ挿入されており、その上端を上切欠き２１１Ａ１と第１左側面板１４０との隙間にその下端を下切欠き２１１Ａ２と第１左側面板１４０との隙間にそれぞれ案内されて、本体部２１１、或いは、スライダ支持部材２１０乃至第２部材２００に対して、前後方向に平行移動可能となっている。スライダ２２０の特に後端の厚さは、上切欠き２１１Ａ１と下切欠き２１１Ａ２に嵌る部分よりも右側（塗布膜転写具本体１０の内側）に向けて厚くなっており、スライダ２２０が本体開口２１１Ａの後側に移動しようとしたときに、上述の段部１４３に当接するようになっている。
【００２５】
スライダ２２０には、スライダ２２０の右側の面に沿うようにして、３つの歯車がいずれも回転可能に取付けられている。３つの歯車は、第１歯車２２１、第２歯車２２２、及び中間歯車２２３である。
第１歯車２２１は、後述するリフィルの第１リールと接続され、第１リールとともに回転するものである。第２歯車２２２は、後述するリフィルの第２リールと接続され、第２リールとともに回転するものである。中間歯車２２３は、第１歯車２２１と第２歯車２２２の間に位置するものであり、これら双方と噛み合うものである。中間歯車２２３は、第１歯車２２１と第２歯車２２２の回転の方向を揃える役割を担うものである。なお、中間歯車２２３と噛み合う第２歯車２２２の歯は、第２歯車２２２の裏側に存在するため、図１（ａ）、図２（ａ）を始めとするいずれの図面にも現れていない。
第１歯車２２１の右側の面には、その軸を中心とする三方対称の位置に、第１歯車２２１の軸と同軸とされた、軸体と２２１Ｂと、軸体２２１Ｂから外側に向かって張り出すようにされた板状の羽２２１Ａとを有する部材が設けられている。この部材のうち、羽２２１Ａは、第１歯車２２１と第１リールとを後述のように接続するために用いられる。軸体２２１Ｂと第１歯車２２１は、対して互いに滑り可能となっている。軸体２２１Ｂと第１歯車２２１は同軸の状態で互いに接続されており、通常の状態では同期した状態で同じ速度で回転するようになっているが、両者の間にかかる力が一定以上となったとき、その一方が他方に対して滑る。この滑りによって第１歯車２２１及び第２歯車２２２の回転が抑制され、第２リールの回転量の調節が自動的に行われることになる。
第２歯車２２２の右側の面には、その軸を中心とする歯である接続歯２２２Ａが多数設けられている。これは、第２歯車２２２と第２リールとを後述のように接続するために用いられる。
【００２６】
塗布膜転写具本体１０は以上のようなものである。
そして、塗布膜転写具本体１０には、図３〜図６に示されたようなリフィル３０が取付けられて、塗布膜転写具となる。
リフィル３０は、樹脂製であり、後ろに向かってややその高さが高くなり、その後端に至るにつれてややその高さが低くなっていく、流線型形状のケース３１０を備えており、ケース３１０の中に種々の部品を内蔵してなる。ケース３１０はこれには限られないが透明であり、リフィル３０の中にある後述するテープの残量をユーザが目視により確認できるようになっている。ケース３１０はまた、その底面、右側面、及び上面を覆っているが、その前面、左側面、及び後面は開放されている。
ケースを取り除いた状態のリフィル３０を図７に、ケースを取り除いたリフィル３０を分解した状態を図８に、それぞれ図示する。
リフィル３０は、第１リール３２０を備えている。第１リール３２０は、円筒形であり、使用される前のテープ３３０がその基端側から巻付けられている。テープ３３０は、第１リール３２０から転写部２３０のローラ２３２に送られるようになっている。テープ３３０は既存のものでよく、一定幅で長尺であり、その一方の面（第１リール３２０の外側の面）に、図示を省略の塗布膜が貼り付いた状態となっている。塗布膜は糊等他のものである場合もあるが、この実施形態では、所定の被転写面に転写されたときに修正液の如くに機能する修正塗料であるものとする。第１リール３２０の内面には、多数の溝３２１が切られている。これら溝３２１は、リフィル３０が塗布膜転写具本体１０に取付けられたときに、塗布膜転写具本体１０の第１歯車２２１に設けられた羽２２１Ａがその間に入ることにより、第１歯車２２１と、第１リール３２０とを接続するものである。第１歯車２２１と、第１リール３２０とが接続されると、第１歯車２２１と、第１リール３２０は、通常の状態では同じ速度で回転し、また両者の間にかかる力が過剰になった場合には、羽２２１Ａが取付けられた軸体２２１Ｂが第１歯車２２１に対して上述のように滑ることにより、互いに滑るようになる。これにより、第１リール３２０にテープ３３０からかかる張力は一定を保つようになり、逆に言えばテープ３３０には常に一定の張力がかかるようになる。
リフィル３０は、また、第２リール３４０を備えている。第２リール３４０は、転写部２３０でその塗布膜が所定の被転写面に転写されたいわば使用済みと言えるテープ３３０を回収するためのものである。第２リール３４０は、その基端を接続され、三方対称の方向に延びる３本のアーム３４１と、アーム３４１のそれぞれの先端から、図８の下方向に延びる、係止羽３４２とからなる。係止羽３４２のうちの一本には、テープ３３０の先端が固定されている。第２リール３４０が回転すると、回転する係止羽３４２の外側にテープ３３０が巻き取られる。係止羽３４２の内側の縁は、リフィル３０が塗布膜転写具本体１０に取付けられたときに、塗布膜転写具本体１０の第２歯車２２２に設けられた接続歯２２２Ａの間に入り込むことにより、第２歯車２２２と、第２リール３４０とを接続するものである。第２歯車２２２と、第２リール３４０とが接続されると、第２歯車２２２と、第２リール３４０は、互いに滑ることなく、同じ速度で回転するようになる。
第１リール３２０と、第２リール３４０は、図８に示したような形状のホルダ３５０にて相互の位置を位置決めされる。ホルダ３５０は、２つの略円形の孔である第１孔３５１と、第２孔３５２とを備えている。第１孔３５１に第１リール３２０の図７、図８における上側端部を、回転自在で且つ抜け止をして挿入し、且つ第２孔３５２に第２リール３４０の図７、図８における上端部を、回転自在に挿入する（第２リール３４０のアーム３４１の長さは第２孔３５２の半径よりも長いから第２リール３４０はホルダ３５０から抜けない。）ことにより、第１リール３２０と第２リール３４０の相互の位置は決定される。第１リール３２０と第２リール３４０の相互の位置は、第１歯車２２１と、第２歯車２２２の相互の位置関係に準じている。それ故、リフィル３０を塗布膜転写具本体１０に取付けるときには、第１歯車２２１に第１リール３２０を、また第２歯車２２２に第２リール３４０を、同時に接続することができる。
【００２７】
以上で説明した塗布膜転写具本体１０乃至塗布膜転写具の使用方法、及び動作を説明する。かかる説明は、主に、図３〜図６による。
図３〜図６に共通するが、（ａ）は、塗布膜転写具の右側面図、（ｂ）は同左側面図（ただし、理解の容易のために左右反転している）、（ｃ）は、カバー体２１７を除いた第２部材２００の左側面図（ただし、理解の容易のために左右反転している）、（ｄ）は塗布膜転写具の平面図、（ｅ）は図（ａ）のＡ−Ａ、Ｂ−Ｂ、Ｃ−Ｃ、又はＤ−Ｄ断面図である。
【００２８】
塗布膜転写具を用いるには、まず、塗布膜転写具本体１０にリフィル３０を取付け、塗布膜転写具本体１０を塗布膜転写具にする。
リフィル３０を塗布膜転写具本体１０に取付ける際には、図３に示したように、第２部材２００は開位置に位置している。この状態で、リフィル３０を塗布膜転写具本体１０に取付ける。なお、第２部材２００が閉位置にあるとき、スライダ２２０は第２部材２００の本体開口２１１Ａの最も前側に位置する。
リフィル３０を塗布膜転写具本体１０に取付けるときは、上述のように、第１リール３２０の溝３２１に、塗布膜転写具本体１０の第１歯車２２１に設けられた羽２２１Ａを挿入するとともに、第２リール３４０の３本の係止羽３４２の内側の縁を、塗布膜転写具本体１０の第２歯車２２２に設けられた接続歯２２２Ａの間に挿入する。これにより、第１歯車２２１と第１リール３２０が、また第２歯車２２２と第２リール３４０がそれぞれ接続される。
なお、リフィル３０を塗布膜転写具本体１０に取付けるときには、第１リール３２０から多少テープ３３０を引き出しておき、テープ３３０を、転写部２３０のローラ２３２にかけるようにする。このとき、テープ３３０が弛んでいると、リフィル３０の塗布膜転写具本体１０への取付けを行い易い。テープ３３０は、第１リール３２０の下方から前方に出て、ローラ２３２の更に前方で折り返されて、第２リール３４０の上方に至る状態となる。
【００２９】
次いで、ユーザは片手で第１部材１００を持ち、他方の手で持った第２部材２００を第１部材１００に向けて前方に押出し、第２部材２００を閉位置に近づけていく。
第２部材２００が前方に移動するとき、スライダ２２０は第２部材２００の本体部２１１とともに、前方に移動する。このときスライダ２２０は依然、本体開口２１１Ａの最も前側にある。
ある程度第２部材２００が前方に移動すると、第２部材２００に取付けられているリフィル３０のケース３１０の前端が、第１部材１００の前方部１００Ａの第１上面板１２０と、第１右側面板１３０とに突き当たる。そうすると、リフィル３０が有する第１リール３２０及び第２リール３２０とそれぞれ接続されている第１歯車２２１及び第２歯車２２２と固定状態にあるスライダ２２０は、結果的に、第１部材１００の前方部１００Ａに係止された状態となり、それ以上前方に進めなくなる（図４の特に、（ａ）、（ｂ））。しかしながら、第２部材２００のスライダ２２０及びそれに固定された状態となっていない部分（本体部２１１、支持部２１２、転写部２３０等）はそのまま前方に進んでいき、スライダ２２０はそれらの部分に対して相対的に後方へ下がっていく。
なお、この実施形態では、前方に移動するスライダ２２０は、リフィル３０の一部が第１部材１００の一部に係止されることによりその前方への移動を止めたが、これに限らず、スライダ２２０の一部が第１部材１００の一部に係止されることによりその前方への移動を止めるようになっていても良い。それは、第１部材１００の適宜の設計変更により容易に実現可能である。
【００３０】
そして、第２部材２００は、図５に示した閉位置に至る。
第２部材２００は、先に前方への動きを止めているリフィル３０の後端の少し手前の段差にカバー体２１７の前端が突き当たることにより、その前進を止める。このとき、塗布膜転写具は、塗布膜転写具本体１０と、リフィル３０の外面により、その右側面、左側面、上面、底面とも、滑らかな曲面で囲まれるようになっており、また塗布膜転写具本体１０とリフィル３０は、そうなるように設計されている。第１リール３２０から、転写部２３０を経て第２リール３４０へ向かうテープ３３０は、転写部２３０にかかっている部分の前後の僅かな部分を除いて、塗布膜転写具に囲まれた外部に露出しない状態となる。
この状態では、スライダ２２０は、本体開口２１１Ａの最も後側に移動している。これにより、本体部２１１と位置的に固定されている転写部２３０は、スライダ２２０から遠ざかった（図３の状態よりも前方に移動した）状態となる。上述のようにスライダ２２０には、第１リール３２０と第２リール３４０とが、第１歯車２２１と第２歯車２２２とを介して接続されている。したがって、第１リール３２０から、転写部２３０のローラ２３２を介して第２リール３４０に至るテープ３３０の最短の経路は、転写部２３０がスライダ２２０に対して前方に移動した距離の２倍だけ、第２部材２００が開位置にあるときよりも伸びている。それにより、弛んでいたテープ３３０は、ローラ２３２に前方に押し出されるようにして、張った状態となる。なお、このとき、転写部２３０のローラ２３２は、第１部材１００の前方開口１００Ａ１から、前方に突出した状態となる。ユーザは、リフィル３０の後端の少し手前の段差にカバー体２１７の前端が突き当たった感触に加えて、第１部材１００の前方開口１００Ａ１からからローラ２３２が突出したことを目視することで、第２部材２００が正しく閉位置に来たことを確認できる。
【００３１】
この状態で、塗布膜転写具は使用可能となる。
塗布膜転写具は、図９に示したようにして、その転写部２３０を所定の被転写面Ｓ（例えば、紙の表面）に押接させ、その底面側に塗布膜転写具を移動させることにより使用する。
そうすると、テープ３３０はローラ２３２により被転写面Ｓに押圧されながら、回転するローラ２３２により滑らかに押し出され、移動する。テープ３３０の表面に設けられていた塗布膜Ｍは、被転写面Ｓに転写される。
テープ３３０が移動すると、テープ３３０はテンションがかかった張った状態となっているので、テープ３３０が移動する力により、第１リール３２０と、第２リール３４０が回転する。第１リール３２０と、第２リール３４０は、中間歯車２２３によって、それらの回転の向きを揃えられ、且つそれらの回転の速度を所定の比に保たれた第１歯車２２１及び第２歯車２２２にそれぞれ滑らないように接続されているので、第１リール３２０から送り出されるテープ３３０の長さと、第２リール３４０で回収されるテープ３３０の長さとは、常に同期した状態を保つ。つまり、テープ３３０の移動が生じてもテープ３３０に過度のテンションがかかったり、またテープ３３０がたるむことはない。もっとも、テープ３３０が第１リール３２０から送られ、第２リール３４０で巻き取られる状態が続いていくと、第１リール３２０の中心からテープ３３０の外周までの径が小さくなり、第２リール３４０の中心からテープ３３０までの径が大きくなっていく。これにより、そのままでは、第１リール３２０から送られるテープ３３０の速度が遅くなっていき、第２リール３４０によって巻き取られるテープ３３０の速度が早くなっていく、つまり第２リール３４０がテープ３３０を強く引く、という状態が生じる。過度の張力がテープ３３０にかかると、軸体２２１Ｂと、第１歯車２２１の間には上述した滑りが生じる。滑りが生じている状態では、軸体２２１Ｂ乃至それに固定されている第１リール３２０は回転を続けるが、第１歯車２２１及びそれと回転を同期されている第２歯車２２２には、テープ３３０の送り量により回転を止めようとする力がはたらく。また、第２歯車２２２と同じ速度で回転する第２リール３４０も回転を止めようとする力がはたらく。要するに、回転を続ける第１リール３２０に対して、第２リール３４０は、テープ３３０の送り量により回転を止めようとするので、そこで上述の滑りを生じさせることにより、第１リール３２０からテープ３３０が送り出される速さと第２リール３４０がテープ３３０を巻き取る速さが適切な関係となり、テープ３３０にかかる張力も適切な範囲に戻る。
塗布膜転写具の被転写面Ｓに対する移動を止めれば、塗布膜Ｍの被転写面Ｓへの塗布は終わる。
また、塗布膜転写具を使用しないときには、キャップ１１２の先端を前方上方に向けて回動させることで、キャップ１１２で前方開口１００Ａ１及びそこから突出したローラ２３２を隠す。そうすることで、塗布膜転写具を使用しないときにテープ３３０が傷むことがなくなる。
再度塗布膜転写具を使用するときにはもちろん、キャップ１１２を前方開口１００Ａ１から外す。
【００３２】
以上のようにして、塗布膜転写具は使用できる。塗布膜転写具が使用され続けていれば、いずれ、第１リール３２０に巻き付けられていたテープ３３０がなくなる。そうなったら、リフィル３０の交換を行う。
リフィル３０を交換するには、まず、第２部材２００を今度は開位置に向けて後方に移動させる。第２部材２００が後方に移動するとき、スライダ２２０は第２部材２００の本体部２１１とともに、後方に移動する。このときスライダ２２０は依然、本体開口２１１Ａの最も後側にある。
ある程度第２部材２００が後方に移動すると、スライダ２２０の後端が、第１部材１００の第１左側面板１４０の段部１４３に突き当たる。そうすることで、スライダ２２０は、それ以上後方に移動できなくなる。そのまま第２部材２００を後方に移動させると、第２部材２００のスライダ２２０及びそれに固定された状態となっていない部分はそのまま後方に進んでいき、スライダ２２０はそれらの部分に対して相対的に前方へ進んでいくことになる（図６）。
そのまま、第２部材２００を後方に引いていくと、塗布膜転写具が結果として、図３に示した状態となる。既に述べた通り、この状態は、第２部材２００が開位置にある状態である。この状態では、また、これも既に述べたとおり、スライダ２２０は、本体開口２１１Ａの最も前側に移動している。スライダ２２０が本体開口２１１Ａの最も前側に位置しているということは、第２部材２００が閉位置にあった図５に示した状態のときよりも、第１リール３２０から、転写部２３０のローラ２３２を介して第２リール３４０に至るテープ３３０の最短の経路が、短くなっているということである。この状態では、その経路が短くなった分に対応する弛みが、テープ３３０に生じている。したがって、リフィル３０の取外しを行うにあたり、テープ３３０が転写部２３０に係止されるなどの不具合はまず生じない。
リフィル３０を塗布膜転写具本体１０から外したら、新しいリフィル３０を塗布膜転写具本体１０に取付ける。その方法は、既に述べたとおりである。
なお、この実施形態では、後方に移動するスライダ２２０は、スライダ２２０の一部が第１部材１００の一部に係止されることによりその後方への移動を止めたが、これに限らず、リフィル３０の一部が第１部材１００の一部に係止されることによりその後方への移動を止めるようになっていても良い。それは、第１部材１００或いはリフィル３０又はその双方の適宜の設計変更により容易に実現可能である。
【符号の説明】
【００３３】
１０  塗布膜転写具本体
３０  リフィル
１００  第１部材
１００Ａ  前方部
１００Ｂ  後方部
１００Ａ１  前方開口
１１０  第１底面板
１１１  開口
１１２  キャップ
１２０  第１上面板
１３０  第１右側面板
１４０  第１左側面板
１４１  上側ガイド溝
１４２  下側ガイド溝
１４３  段部
２００  第２部材
２１０  スライダ支持部材
２１１  本体部
２１１Ａ  本体開口
２１１Ａ１  上切欠き
２１１Ａ２  下切欠き
２１２  支持部
２１３  背面板
２１４  第２底面板
２１５  前板
２１６  突出片
２１７  カバー体
２１７Ａ  右カバー板
２１７Ｂ  上カバー板
２２０  スライダ
２２１  第１歯車
２２１Ａ  羽
２２２  第２歯車
２２２Ａ  接続歯
２２３  中間歯車
２３０  転写部
２３１  支持部材
２３２  ローラ
３１０  ケース
３２０  第１リール
３２１  溝
３３０  テープ
３４０  第２リール
３４１  アーム
３４２  係止羽
３５０  ホルダ
３５１  第１孔
３５２  第２孔
【図１】
0006348345.tif 000002
【図２】
0006348345.tif 000003
【図３】
0006348345.tif 000004
【図４】
0006348345.tif 000005
【図５】
0006348345.tif 000006
【図６】
0006348345.tif 000007
【図７】
0006348345.tif 000008
【図８】
0006348345.tif 000009
【図９】
0006348345.tif 000010
【図１０】
0006348345.tif 000011